(57)【要約】【課題】  カットブロッコリー、カットカリフラワーについて、カットされた野菜の切り口（カット面）の褐変や黒変を防止でき、鮮度保持が可能な包装体を提供する。【解決手段】  カットブロッコリー、カットカリフラワーの包装体において、包装体に用いられる包装袋の酸素透過速度および二酸化炭素透過速度が１００ｇあたり１００〜９００ｃｃ／１００ｇ・ｄａｙ・ａｔｍであり、を包装袋に入れて包装袋の口を閉じた時から、４８時間以内に包装体内の酸素濃度が０．０５％以上３％未満、二酸化炭素濃度が１０％以上２０％未満であるカットブロッコリー及びカットカリフラワーの包装体である。【特許請求の範囲】
【請求項１】
カットブロッコリー及び／又はカットカリフラワーの包装体において、前記包装体に用いられる包装袋の酸素透過速度および二酸化炭素透過速度が前記カットブロッコリー及び／又はカットカリフラワー１００ｇあたりそれぞれ１００〜９００ｃｃ／１００ｇ・ｄａｙ・ａｔｍであり、前記カットブロッコリー及び／又はカットカリフラワーを前記包装袋に入れて前記包装袋の口を閉じた時から４８時間以内に、前記包装体内の酸素濃度が０．０５％以上３％未満、二酸化炭素濃度が１０％以上２０％未満となり、前記包装袋を開封するまで前記包装体内の酸素濃度が０．０５％以上３％未満、二酸化炭素濃度が１０％以上２０％未満であることを特徴とするカットブロッコリー及びカットカリフラワーの包装体。
【請求項２】
包装袋に、傷、クラック、微細孔、切れ目の何れか１種以上の加工を施した請求項１記載のカットブロッコリー及びカットカリフラワーの包装体。
【請求項３】
カットブロッコリー及び／又はカットカリフラワーが、カット後に水で洗浄されたものである請求項１又は２記載のカットブロッコリー及びカットカリフラワーの包装体。
【請求項４】
包装袋が、ポリプロピレン、ポリエチレン、ナイロン、ポリエチレンテレフタレート、ポリ乳酸のいずれか、或いはこれらの中から２種以上を積層したものである請求項１、２又は３記載のカットブロッコリー及びカットカリフラワーの包装体。
【請求項５】
包装体の保管温度が０〜１５℃の範囲である請求項１、２、３又は４記載のカットブロッコリー及びカットカリフラワーの包装体。
【発明の詳細な説明】
【技術分野】
【０００１】
本発明は、カットブロッコリー単独、又はカットカリフラワー単独、又は両者の混合物の包装体に関するものである。
【背景技術】
【０００２】
近年、青果物の鮮度保持を目的とし、青果物自身の呼吸により包装内のガス濃度を野菜の保存に適した雰囲気にするというＭＡ（Modified Atmosphere）効果を有する青果物用鮮度保持資材が開発され枝豆、ブロッコリーやホウレンソウなど様々な青果物で実用化されている。カット野菜に関しても、ＭＡ包装の採用が進んでいるが、外食産業や中食産業において安全で美味しくさらに効率化を求める流れがあり、これまではカットの状態で流通していなかった野菜をカットしたり、あるいは外国でカットしたものを生のまま輸入するという動きがある。
【０００３】
ブロッコリーの鮮度保持に関しては、特開平６−１２５６９８号公報の段落番号０００７において、鮮度保持に適した条件として、酸素濃度３％以上、１５％以下が望ましいと記載されている。しかし、カットブロッコリーやカットカリフラワーを酸素濃度３％以上の条件で保管すると、切り口が褐色や黒色に変色してしまい、商品性が損なわれており、変色の少ないカットブロッコリー、カットカリフラワーの包装体は、これまで開発されていなかった。
【特許文献１】特開平６−１２５６９８号公報
【発明の開示】
【発明が解決しようとする課題】
【０００４】
本発明は、カットブロッコリー、カットカリフラワーについて、通常のホール品ではカット面が存在しないことから問題にならなかったカットされた野菜の切り口（カット面）の褐変や黒変を防止でき、内容物の鮮度保持が可能な包装体を提供することを目的とする。
【課題を解決するための手段】
【０００５】
カットブロッコリー及び／又はカットカリフラワーの包装体において、包装体に用いられる包装袋の酸素透過速度および二酸化炭素透過速度が前記カットブロッコリー及び／又はカットカリフラワー１００ｇあたりそれぞれ１００〜９００ｃｃ／１００ｇ・ｄａｙ・ａｔｍであり、前記カットブロッコリー及び／又はカットカリフラワーを包装袋に入れて包装袋の口を閉じた時から４８時間以内に、包装体内の酸素濃度が０．０５％以上３％未満、二酸化炭素濃度が１０％以上２０％未満となり、前記包装袋を開封するまで前記包装体内の酸素濃度が０．０５％以上３％未満、二酸化炭素濃度が１０％以上２０％未満であるカットブロッコリー及びカットカリフラワーの包装体である。
更に好ましい形態としては、包装袋は、傷、クラック、微細孔、切れ目の何れか１種以上の加工を施したものであり、カットブロッコリー及び／又はカットカリフラワーが、カット後に水で洗浄されたものであり、包装袋が、ポリプロピレン、ポリエチレン、ナイロン、ポリエチレンテレフタレート、ポリ乳酸のいずれか、或いはこれらの中から２種以上を積層したものであり、包装体の保管温度が０〜１５℃の範囲であるカットブロッコリー及びカットカリフラワーの包装体である。
【発明の効果】
【０００６】
本発明の方法に従うと、カットブロッコリー、カットカリフラワーの黄化防止、異臭防止ができ、カットブロッコリー、カットカリフラワーの切り口（カット面）の褐変や黒変を防止でき、鮮度保持が可能な包装体を供給することができる。
【発明を実施するための最良の形態】
【０００７】
本発明は、カットブロッコリー、又はカットカリフラワー、又はカットブロッコリーとカットカリフラワーの混合物の包装体に関するものである。ブロッコリー及びカリフラワーの種類は特に限定されないが、例えば、ブロッコリーとしては、緑嶺、唐嶺、緑洋、グリーンコメット、ハイツ、シャスター、グリーンビューティー、カリフラワーとしては、スノークイン、さきがけ１号、野崎早生、増田早生、スノーキング、房州中生、増田中生、野崎晩生、増田晩生、雲仙2号がある。これらは、国産に限らずアメリカ産や中国産などの輸入品であっても良い。ブロッコリー及びカリフラワーのカットされた形状は、特に限定されないが、例えば、重量が５〜３０ｇ程度の房切りしたものである。また、カット方法も限定されない。
本発明のカットブロッコリー及びカットカリフラワーの包装体では、カットブロッコリー、カットカリフラワーの重量の半分を超えない範囲で他のカット野菜、例えば、カットニンジン、カットピーマンなどが混ざっていても良い。
【０００８】
本発明は、カットブロッコリー、カットカリフラワーを包装袋に入れて保存する際、包装袋の酸素透過速度、二酸化炭素透過速度は、カットブロッコリー、カットカリフラワー１００ｇあたりそれぞれ１００〜９００ｃｃ／１００ｇ・ｄａｙ・ａｔｍである。酸素透過速度、二酸化炭素透過速度が１００ｃｃ／１００ｇ・ｄａｙ・ａｔｍ未満であれば、内容物が劣化する可能性があり、９００ｃｃ／１００ｇ・ｄａｙ・ａｔｍを越えると切り口が変色する可能性があるため、商品性が失われてしまう恐れがある。
【０００９】
包装袋にカットブロッコリー、カットカリフラワーを入れて包装袋の口を閉じ、４８時間以内に包装体内の酸素濃度が０．０５％以上、３％未満、二酸化炭素濃度が１０％以上、２０％未満となることが鮮度保持の点から好ましい。より好ましくは、４８時間以内に包装体内の酸素濃度が０．５％以上、３％未満に達することである。また、３０時間以内に包装体内の酸素濃度が０．０５％以上、３％未満に達することもより好ましい。また、包装体の酸素濃度及び二酸化炭素濃度が上記の範囲に達した後、包装袋を開封するまでの間、包装体内の酸素濃度が０．０５％以上、３％未満、二酸化炭素濃度が１０％以上、２０％未満の範囲内で保持されることが好ましい。
【００１０】
４８時間以内に酸素濃度が０．０５％以上、３％未満の範囲、二酸化炭素濃度が１０％以上、２０％未満の範囲内になると、包装体内でのエタノールやアセトアルデヒドの発生が抑えられ、異臭、水浮き（トロケ）が生じにくく、切り口の褐変や黒変を防ぐことができ、カットブロッコリー、カットカリフラワーの鮮度を良好に保つことができ、商品性を長く保つことができる。
【００１１】
包装体内の酸素濃度及び二酸化炭素濃度が上記の範囲に達した後、包装袋を開封するまでの間、上記の酸素濃度及び二酸化炭素濃度に保つと、異臭、水浮き（トロケ）が生じにくく、切り口の変色発生防止に効果が大きく、鮮度を良好に保つことができる。
また、エタノールの発生に関しては、１０ｐｐｍを超えると異臭が著しくなるので、１０ｐｐｍ未満、さらに好ましくは検出されない方が良い。
【００１２】
本発明の包装体の保管温度は、０〜１５℃の範囲であることが好ましい。０℃未満では、凍結の恐れがあり、１５℃を超えると花蕾や切り口のトロケが発生しやすくなり、鮮度を保持することが難しくなる可能性がある。ただし、実際の流通においては、数時間程度常温で扱われる場合もあるが、この程度の範囲であれば、１５℃を超えても品質への影響はほとんどないのでなんら問題はない。冷蔵設備の温度の振れを考慮すると、確実に凍結を防止するために２℃以上がより好ましい。また、高温側に関しても、保管期間が２日間以上の場合には１２℃以下がより好ましい。
【００１３】
カットブロッコリー、カットカリフラワーは、カット後に水で洗浄することが好ましい。洗浄によって、切り口に付着した微生物や切断時に破壊された細胞から染み出た細胞液などの付着物を洗い流すことによって、切り口の変色をより一層防止できる。この際、水分が多く付着したままで包装すると、濡れた部分から腐敗が発生しやすくなるので、水切りをすることが好ましい。
【００１４】
包装体に用いられる包装袋は、合成樹脂フィルムが好ましく、合成樹脂フィルムとしては、例えば、ポリプロピレン、ポリエチレン、ポリスチレン、ポリエチレンテレフタレート、ナイロン、エチレン酢酸ビニル共重合体（ＥＶＡ）、ポリブチレンサクシネート、ポリブチレンサクシネート・アジペート、ポリ乳酸などが挙げられる。これらの内いずれかの素材を単独あるいは積層して用いればよい。また、これらは、延伸してあってもよく、防曇加工や印刷が施してあっても良い。
合成樹脂フィルムの厚みは、経済的に１００μｍ以下が好ましく、強度的に１０μｍ以上が好ましい。また、包装体内の二酸化炭素濃度が２０％を超えてしまうような場合は、比較的炭酸ガス透過量が大きい低密度ポリエチレン、線状低密度ポリエチレンなどの素材を用いることで二酸化炭素濃度を低下させられるので、状況に応じて素材を選択すると良い。
【００１５】
包装体に合成樹脂フィルムを用いた場合、合成樹脂フィルム自体の酸素透過速度および二酸化炭素透過速度では、カットブロッコリー、カットカリフラワーの鮮度保持に必要な透過速度に及ばない場合がある。このような場合は、微細孔１個の開孔面積が０．０５ｍｍ2以下である微細孔、未貫通及び／又は貫通のクラック、又は距離５ｍｍ以下の切り込みのいずれかをフィルムに加工して酸素透加速度を調節することが好ましい。開口面積が０．０５ｍｍ2を超えたり、切り込みの距離が５ｍｍを超えると１袋あたりのこれら加工数が少なくなり、包装体あたりの酸素透加速度及び二酸化炭素透過速度を調節する精度が悪くなる可能性がある。
【００１６】
包装袋の透湿度は、２〜８００ｇ／ｍ2・日（４０℃、９０％ＲＨ）であることが好ましい。カットブロッコリーやカットカリフラワーの萎れを防止するためには２〜５０ｇ／ｍ2・日（４０℃、９０％ＲＨ）の包装袋が好ましく、逆に結露が気になる場合には、５０〜８００ｇ／ｍ2・日（４０℃、９０％ＲＨ）のフィルム、例えば東セロ製のポリ乳酸フィルム、パルグリーンＬＣなどに微細孔などの加工を施して用いれば良い。
【実施例】
【００１７】
以下実施例で本発明を説明する。なお、本発明はこの実施例に限定されるものではない。
《実施例１》
縦３５０ｍｍ、横３００ｍｍで厚さ２５μｍの延伸ポリプロピレンフィルム製袋にカット後水で洗浄したカットブロッコリー（平均約１０ｇ／個）を１０００ｇ入れて封をした。袋には、開口面積１．９６×１０-3ｍｍ2の微細孔２２個をあけ、カットブロッコリー１００ｇ当たりの酸素透過速度及び二酸化炭素透過速度がそれぞれ２００ｃｃ／１００ｇ・ｄａｙ・ａｔｍとなるようにしている。これを、５℃で７日間保管して、袋内ガス組成及びカットブロッコリーの品質を調査した結果を表１に示す。
《実施例２》
縦３５０ｍｍ、横３００ｍｍで厚さ２５μｍの延伸ポリプロピレンフィルム製袋にカット後水で洗浄したカットブロッコリー（平均約１０ｇ／個）を１０００ｇ入れて封をした。袋には、開口面積７．８５×１０-3ｍｍ2の微細孔１１個をあけ、カットブロッコリー１００ｇ当たりの酸素透過速度及び二酸化炭素透過速度がそれぞれ４００ｃｃ／１００ｇ・ｄａｙ・ａｔｍとなるようにしている。これを、１０℃で５日間保管して、袋内ガス組成及びカットブロッコリーの品質を調査した結果を表１に示す。
《実施例３》
縦３５０ｍｍ、横３００ｍｍで厚さ２５μｍの延伸ポリプロピレンフィルム製袋にカット後水で洗浄したカットブロッコリー（平均約１０ｇ／個）を１０００ｇ入れて封をした。袋には、開口面積１．９６×１０-3ｍｍ2の微細孔６６個をあけ、カットブロッコリー１００ｇ当たりの酸素透過速度及び二酸化炭素透過速度がそれぞれ６１０ｃｃ／１００ｇ・ｄａｙ・ａｔｍとなるようにしている。これを、１２℃で４日間保管して、袋内ガス組成及びカットブロッコリーの品質を調査した結果を表１に示す。
《実施例４》
縦３５０ｍｍ、横３００ｍｍで厚さ２５μｍの延伸ポリプロピレンフィルム製袋にカット後水で洗浄していないカットブロッコリー（平均約１０ｇ／個）を１０００ｇ入れて封をした。袋には、長さ３ｍｍの貫通した切り込み４個をいれて、カットブロッコリー１００ｇ当たりの酸素透過速度及び二酸化炭素透過速度がそれぞれ４４０ｃｃ／１００ｇ・ｄａｙ・ａｔｍとなるようにしている。これを、１０℃で４日間保管して、袋内ガス組成及びカットブロッコリーの品質を調査した結果を表１に示す。
《実施例５》
縦３５０ｍｍ、横３００ｍｍで厚さ４０μｍの低密度ポリエチレンフィルム製袋にカット後水で洗浄したカットブロッコリー（平均約１０ｇ／個）を１０００ｇ入れて封をした。袋には、開口面積７．８５×１０-3ｍｍ2の微細孔１０個をあけて、カットブロッコリー１００ｇ当たりの酸素透過速度及び二酸化炭素透過速度が４００ｃｃ／１００ｇ・ｄａｙ・ａｔｍとなるようにしている。これを、１０℃で５日間保管して、袋内ガス組成及びカットブロッコリーの品質を調査した結果を表１に示す。
【００１８】
《実施例６》
縦３５０ｍｍ、横３００ｍｍで厚さ２５μｍの延伸ポリプロピレンフィルム製袋にカット後水で洗浄したカットカリフラワー（平均約１０ｇ／個）を１０００ｇ入れて封をした。袋には、開口面積１．９６×１０-3ｍｍ2の微細孔２２個をあけて、カットブロッコリー１００ｇ当たりの酸素透過速度及び二酸化炭素透過速度がそれぞれ２００ｃｃ／１００ｇ・ｄａｙ・ａｔｍとなるようにしている。これを、５℃で７日間保管して、袋内ガス組成及びカットカリフラワーの品質を調査した結果を表２に示す。
《実施例７》
縦３５０ｍｍ、横３００ｍｍで厚さ２５μｍの延伸ポリプロピレンフィルム製袋にカット後水で洗浄したカットカリフラワー（平均約１０ｇ／個）を１０００ｇ入れて封をした。袋には、開口面積１．９６×１０-3ｍｍ2の微細孔４４個をあけて、カットカリフラワー１００ｇ当たりの酸素透過速度及び二酸化炭素透過速度が４００ｃｃ／１００ｇ・ｄａｙ・ａｔｍとなるようにしている。これを、１０℃で５日間保管して、袋内ガス組成及びカットカリフラワーの品質を調査した結果を表２に示す。
《実施例８》
縦３５０ｍｍ、横３００ｍｍで厚さ２５μｍの延伸ポリプロピレンフィルム製袋にカット後水で洗浄したカットカリフラワー（平均約１０ｇ／個）を１０００ｇ入れて封をした。袋には、開口面積１．９６×１０-3ｍｍ2の微細孔６６個をあけて、カットカリフラワー１００ｇ当たりの酸素透過速度及び二酸化炭素透過速度が６１０ｃｃ／１００ｇ・ｄａｙ・ａｔｍとなるようにしている。これを、１２℃で４日間保管して、袋内ガス組成及びカットカリフラワーの品質を調査した結果を表２に示す。
《実施例９》
縦３５０ｍｍ、横３００ｍｍで厚さ２５μｍの延伸ポリプロピレンフィルム製袋にカット後水で洗浄していないカットカリフラワー（平均約１０ｇ／個）を１０００ｇ入れて封をした。袋には、長さ３ｍｍの貫通した切り込み４個をいれて、カットカリフラワー１００ｇ当たりの酸素透過速度及び二酸化炭素透過速度が４４０ｃｃ／１００ｇ・ｄａｙ・ａｔｍとなるようにしている。これを、１０℃で４日間保管して、袋内ガス組成及びカットカリフラワーの品質を調査した結果を表２に示す。
【００１９】
《比較例１》
包装袋に微細孔を施していないこと以外は実施例１と同様にカットブロッコリーを包装した。これを、５℃で７日間保管して、袋内ガス組成及びカットブロッコリーの品質を調査した結果を表３に示す。
《比較例２》
包装袋に、開口面積１．９６×１０-3ｍｍ2の微細孔１３０個をあけてカットブロッコリー１００ｇ当たりの酸素透過速度及び二酸化炭素透過速度が１２００ｃｃ／１００ｇ・ｄａｙ・ａｔｍとした以外は実施例１と同様にカットブロッコリーを包装した。これを、５℃で７日間保管して、袋内ガス組成及びカットブロッコリーの品質を調査した結果を表３に示す。
《比較例３》
包装袋に微細孔を施していないこと以外は実施例２と同様にカットブロッコリーを包装した。これを、１０℃で５日間保管して、袋内ガス組成及びカットブロッコリーの品質を調査した結果を表３に示す。
《比較例４》
包装袋に、開口面積１．９６×１０-3ｍｍ2の微細孔１８０個をあけてカットブロッコリー１００ｇ当たりの酸素透過速度及び二酸化炭素透過速度が１６６０ｃｃ／１００ｇ・ｄａｙ・ａｔｍとした以外は実施例２と同様にカットブロッコリーを包装した。これを、１０℃で５日間保管して、袋内ガス組成及びカットブロッコリーの品質を調査した結果を表３に示す。
《比較例５》
包装袋に、直径５ｍｍの穴４個を開けた以外は、実施例２と同様にカットブロッコリーを包装した。これを、１０℃で５日間保管して、袋内ガス組成及びカットブロッコリーの品質を調査した結果を表３に示す。
《比較例６》
包装袋に微細孔を施していないこと以外は実施例３と同様にカットブロッコリーを包装した。これを、１２℃で４日間保管して、袋内ガス組成及びカットブロッコリーの品質を調査した結果を表３に示す。
《比較例７》
包装袋に、開口面積１．９６×１０-3ｍｍ2の微細孔１１０個をあけてカットブロッコリー１００ｇ当たりの酸素透過速度及び二酸化炭素透過速度が１０１０ｃｃ／１００ｇ・ｄａｙ・ａｔｍとした以外は実施例３と同様にカットブロッコリーを包装した。これを、１２℃で４日間保管して、袋内ガス組成及びカットブロッコリーの品質を調査した結果を表３に示す。
【００２０】
《比較例８》
包装袋に微細孔を施していないこと以外は実施例６と同様にカットカリフラワーを包装した。これを、５℃で７日間保管して、袋内ガス組成及びカットカリフラワーの品質を調査した結果を表４に示す。
《比較例９》
包装袋に、開口面積１．９６×１０-3ｍｍ2の微細孔１３０個をあけてカットカリフラワー１００ｇ当たりの酸素透過速度及び二酸化炭素透過速度が１２００ｃｃ／１００ｇ・ｄａｙ・ａｔｍとした以外は実施例６と同様にカットカリフラワーを包装した。これを、５℃で７日間保管して、袋内ガス組成及びカットカリフラワーの品質を調査した結果を表４に示す。
《比較例１０》
包装袋に微細孔を施していないこと以外は実施例７と同様にカットカリフラワーを包装した。これを、１０℃で５日間保管して、袋内ガス組成及びカットカリフラワーの品質を調査した結果を表４に示す。
《比較例１１》
包装袋に、開口面積１．９６×１０-3ｍｍ2の微細孔１８０個をあけてカットカリフラワー１００ｇ当たりの酸素透過速度及び二酸化炭素透過速度が１６６０ｃｃ／１００ｇ・ｄａｙ・ａｔｍとした以外は実施例７と同様にカットカリフラワーを包装した。これを、１０℃で５日間保管して、袋内ガス組成及びカットカリフラワーの品質を調査した結果を表４に示す。
《比較例１２》
包装袋に、直径５ｍｍの穴４個を開けた以外は、実施例７と同様にカットカリフラワーを包装した。これを、１０℃で５日間保管して、袋内ガス組成及びカットカリフラワーの品質を調査した結果を表４に示す。
《比較例１３》
包装袋に微細孔を施していないこと以外は実施例８と同様にカットカリフラワーを包装した。これを、１２℃で４日間保管して、袋内ガス組成及びカットカリフラワーの品質を調査した結果を表４に示す。
《比較例１４》
包装袋に、開口面積１．９６×１０-3ｍｍ2の微細孔１８０個をあけてカットカリフラワー１００ｇ当たりの酸素透過速度及び二酸化炭素透過速度が１６６０ｃｃ／１００ｇ・ｄａｙ・ａｔｍとした以外は実施例８と同様にカットカリフラワーを包装した。これを、１２℃で４日間保管して、袋内ガス組成及びカットカリフラワーの品質を調査した結果を表４に示す。
【００２１】
《比較例１５》
縦２００ｍｍ、横２００ｍｍで厚さ２５μｍの延伸ポリプロピレンフィルム製袋にホールのブロッコリー（約２００ｇ／個）を１個入れた。袋には、開口面積５．０２×１０-3ｍｍ2の微細孔１８個をあけ、ブロッコリー１００ｇ当たりの酸素透過速度及び二酸化炭素透過速度がそれぞれ４２０ｃｃ／１００ｇ・ｄａｙ・ａｔｍとなるようにした。これを、５℃で７日間保管して、袋内ガス組成及びブロッコリーの品質を調査した結果を表５に示す。
《比較例１６》
縦２００ｍｍ、横２００ｍｍで厚さ２５μｍの延伸ポリプロピレンフィルム製袋にホールのカリフラワー（約２００ｇ／個）を１個入れた。袋には、開口面積５．０２×１０-3ｍｍ2の微細孔１８個をあけ、カリフラワー１００ｇ当たりの酸素透過速度及び二酸化炭素透過速度がそれぞれ４２０ｃｃ／１００ｇ・ｄａｙ・ａｔｍとなるようにした。これを、５℃で７日間保管して、袋内ガス組成及びカリフラワーの品質を調査した結果を表５に示す。
【００２２】
品質の調査結果を下記の表にて示す。なお、下記の表内の○、□、△、×は次の内容を示している。
○良好
□  やや劣化
△  明らかな劣化（商品性無し）
×  著しい劣化（食べられない）
【表１】
2006027640.tif 000002
【００２３】
【表２】
2006027640.tif 000003
【００２４】
【表３】
2006027640.tif 000004
【００２５】
【表４】
2006027640.tif 000005
【００２６】
【表５】
2006027640.tif 000006
【産業上の利用可能性】
【００２７】
本発明は、カットブロッコリー、カットカリフラワーの鮮度保持用の包装に用いることができ、ブロッコリー、カリフラワーの切り口の変色がなく、鮮度の良好なカットブロッコリー、カットカリフラワーを提供することができる。